(57)【要約】      （修正有）【課題】身頃や袖を簡単に取り外し又は取り替える事ができる衣服を提供する。【解決手段】本考案に係る衣服は、一枚の衣服を右身頃３、左身頃６、右袖部１、左袖部９の４つのパーツに分解して構成される。右袖部１は、右身頃３の袖口と結合し、左袖部９は、左身頃６の袖口と結合し、右身頃３の後端部と、左身頃６の後端部とが結合することにより各部の素材や配色のコーディネートを楽しむ事ができる。【選択図】図１
0003220062.tif 000002
【実用新案登録請求の範囲】
【請求項１】
右袖部と左袖部と右身頃と左身頃とを備え、前記右袖部は、前記右身頃の袖口と結合し、前記左袖部は、前記左身頃の袖口と結合し、前記右身頃の後端部と、前記左身頃の後端部とが結合することを特徴とする衣服。
【請求項２】
前記右袖部は、前記右身頃から自由自在に脱着可能であり、前記左袖部は、前記左身頃から自由自在に脱着可能であり、前記右身頃の後端部と前記左身頃の後端部は、自由自在に脱着可能であることを特徴とする請求項１に記載の衣服。
【請求項３】
前記右袖部と前記右身頃の袖口とは、ボタンを介して結合し、前記左袖部と前記左身頃の袖口とは、ボタンを介して結合し、前記右身頃の後端部と前記左身頃の後端部が、ボタンを介して結合することを特徴とする請求項１又は請求項２のうちいずれかひとつに記載の衣服。
【請求項４】
前記右袖部と前記右身頃の袖口とは、マジックテープを介して結合し、前記左袖部と前記左身頃の袖口とは、マジックテープを介して結合し、前記右身頃の後端部と前記左身頃の後端部が、マジックテープを介して結合することを特徴とする請求項１又は請求項２のうちいずれかひとつに記載の衣服。
【請求項５】
前記右袖部と前記右身頃の袖口とは、スナップボタンを介して結合し、前記左袖部と前記左身頃の袖口とは、スナップボタンを介して結合し、前記右身頃の後端部と前記左身頃の後端部が、スナップボタンを介して結合することを特徴とする請求項１又は請求項２のうちいずれかひとつに記載の衣服。
【考案の詳細な説明】
【技術分野】
【０００１】  本考案は、１枚の衣服を右身頃、左身頃、右袖部、左袖部からなるものと考えた衣服に関する。
【背景技術】
【０００２】  特開２００５−８２８９９号に記載されている従来の脱着可能な衣服とは、制服として袖章を交換するものとして、袖の一部のみの脱着が可能であった。
【先行技術文献】
【０００３】
【特許文献】
【特許文献】特開２００５−８２８９９号公報
【考案の概要】
【考案が解決しようとする課題】
【０００４】  しかしながら上記の従来の技術では、袖の一部袖章のみの脱着が目的であり、袖部そのものが脱着できるわけではないので、長袖、半袖の選択がなく、暑い日に涼をとることは出来ない。また上記衣服は制服を対象としたもので、一般的に日常で着用するファッションとしての衣服ではないため、着用者による素材や配色のコーディネートを楽しむ事を目的としていない。
【課題を解決するための手段】
【０００５】  本考案は、一枚の衣服を右袖部、左袖部、右身頃、左身頃の４つのパーツに分解して構成し、上述の課題を解決しようとするものである。【０００６】  本考案に係る第１の衣服において、右袖部と左袖部と右身頃と左身頃とを備え、前記右袖部は、前記右身頃の袖口と結合し、前記左袖部は、前記左身頃の袖口と結合し、前記右身頃の後端部と、前記左身頃の後端部とが結合する。【０００７】  本考案に係る第２の衣服において、前記右袖部は、前記右身頃から自由自在に脱着可能であり、前記左袖部は、前記左身頃から自由自在に脱着可能であり、前記右身頃の後端部と前記左身頃の後端部は、自由自在に脱着可能である。【０００８】  本考案に係る第３の衣服において、前記右袖部の上端部と前記右身頃の袖口とは、ボタンを介して結合し、前記左袖部の上端部と前記左身頃の袖口とは、ボタンを介して結合し、前記右身頃の後端部と前記左身頃の後端部が、ボタンを介して結合することを特徴とすることで前述の手段を可能にしている。【０００９】  本考案に係る第４の衣服において、前記右袖部の上端部と前記右身頃の袖口とは、マジックテープを介して結合し、前記左袖部の上端部と前記左身頃の袖口とは、マジックテープを介して結合し、前記右身頃の後端部と前記左身頃の後端部が、マジックテープを介して結合することを特徴とすることで前述の手段を可能にしている。【００１０】  本考案に係る第５の衣服において、前記右袖部の上端部と前記右身頃の袖口とは、スナップボタンを介して結合し、前記左袖部の上端部と前記左身頃の袖口とは、スナップボタンを介して結合し、前記右身頃の後端部と前記左身頃の後端部が、スナップボタンを介して結合することを特徴とすることで前述の手段を可能にしている。
本考案は、以上の構成よりなる複数の身頃と袖部を組合わせた衣服である。
【考案の効果】
【００１１】  本考案に係る衣服によれば、身頃や袖を簡単に取り外し又は取り替える事ができる。【００１２】  即ち、本考案に係る衣服は４つのパーツの内、右身頃と左身頃を結合させるだけで、袖部を結合しなければ半袖の衣服として形成され、暑い日に対応することが可能になる。【００１３】  また、本考案に係る衣服は、右身頃、左身頃、右袖部、左袖部の４つのパーツを結合させると長袖の衣服となり、寒い日に対応することが可能になる。よって一年を通じて気候に柔軟に対応する快適な着用が可能となる。【００１４】  さらに、本考案に係る衣服はファッションとしての日常的な衣服を目的としているため着用者が左右の身頃と左右の付け袖を自在に組み替えて、幾とおりもの素材や配色の組み合わせを楽しむことができる。【００１５】  本考案に係る衣服は各パーツの結合部分が内側にあるため、右袖部と右身頃の結合部分、左袖部と左身頃の結合部分、右身頃後端と左身頃後端の結合部分は、表面からボタンやマジックテープが見えないようになっており、結合された形状は、分割された物の結合した形状とは見えず、一般的な衣服に近い形状となり外観も自然で違和感がない。よって着用者の好みや性別、年齢層を問わず幅広く対応できる。
【図面の簡単な説明】
【００１６】
【図１】本考案に係る衣服の分割時の正面図である。
【図２】本考案に係る衣服の分割時の背面図である。
【図３】本考案に係る衣服の結合時の正面図である。
【図４】本考案に係る衣服の結合時の背面図である。
【図５】本考案に係る衣服のマジックテープを使用した分割時の正面図である。
【図６】本考案に係る衣服のマジックテープを使用した分割時の背面図である。
【図７】本考案に係る衣服のマジックテープを使用した結合時の正面図である。
【図８】本考案に係る衣服のマジックテープを使用した結合時の背面図である。
【図９】本考案に係る衣服を構成するための基本となる異なる色の２着の衣服の一例を示す図である。
【図１０】本考案に係る衣服の組み合わせパターンを示す長袖の実施例を示す図である。
【図１１】本考案に係る衣服の組み合わせパターンを示す半袖の実施例を示す図である。
【考案を実施するための形態】
以下、本考案を実施するための形態を、図面を参照しながら、具体的に説明する。
【００１７】  図１は本考案に係る衣服の分割時の正面図である。図１において、脱着の状態は前記右袖部１の上端２の内側に配置されたボタンホール２ａと、前記右身頃３の袖口４の外側に配置されたボタン４ａを介して結合される。ボタンホール２ａは袋状になっており、右袖部１の上端２の内側片面に施され表面からは見えない。ボタンホール２ａは前記右身頃３の袖口４の外側に施されたボタン４ａと一対一に対応し脱着できる。
【００１８】  また、前記左袖部９の上端１０の内側に施されたボタンホール１０ａと、前記左身頃６の袖口８の外側に配置されたボタン８ａを介して結合される。ボタンホール１０ａは袋状になっており、左袖部９の上端１０の内側片面に施され表面からは見えない。ボタンホール１０ａは前記左身頃６の袖口８の外側に配置されたボタン８ａと一対一に対応し脱着できる。
【００１９】  さらに、前記右身頃３と前記左身頃６の脱着の状態は前記右身頃の前端５に配置されたボタン５ａと、前記左身頃６の前端７に施されたボタンホール７ａを介して結合される。ボタンホール７ａは前記右身頃３の前端５に配置されたボタン５ａと一対一に対応し脱着できる。ボタンはスナップボタンでもよい。
【００２０】  図２は本考案に係る衣服の分割時の背面図である。図２において、ボタンホール１１ａは左身頃の後端１１に配置される。ボタンホール１１ａは袋状の内側片面に施されており、表面からはボタンホールが見えない。ボタン１２ａは右身頃の後端に配置され、ボタンホール１１ａはボタン１２ａと一対一に対応し脱着できる。ボタンはスナップボタンでもよい。
【００２１】  図３は本考案に係る衣服の結合時の正面図である。図３において、結合時の前面身頃の状態１３は、一般的な衣服と同じようにボタンとボタンホールによって結合される。結合時の袖部の状態１４は、ボタンが内側に隠れ表面から結合部が見えない。それによって見た目を従来の一般的な衣服に近づけ、特別なデザイン性や違和感を感じさせないようにする事ができる。更に着用者の好みやスタイルに左右されず、また着用者の年齢層を狭めない効果もある。
【００２２】  また、左右身頃の袖部と結合時の袖部の状態１４は、左右身頃の袖部の上に、左右袖上端の結合部が被さる形で結合させる。このような構成により長袖の状態で袖に腕を通したときに、重なった結合部の隙間に指や腕が引っ掛からないようにする事ができる。
【００２３】  図４は本考案に係る衣服の結合時の背面図である。図４において、結合時の背面身頃の状態１５は、図２における袋状のボタンホール１１ａにより表面からはボタンが見えない。また１６はボタンを留めた襟を折り返す事で襟のボタンは内側に隠れ、表面からはボタンが見えない。その理由は前記と同じく、見た目を従来の一般的な衣服に近づける事で、特別なデザイン性や違和感を感じさせないようにするためであり、このような構成により着用者の好みやスタイルに左右されず、また着用者の年齢層を狭めない効果を奏する。
【００２４】  図５は本考案に係る衣服のマジックテープを使用した分割時の正面図である。図５において、脱着の状態は右袖部１７の上端１８の内側に配置されたマジックテープフック面１８ａと、右身頃１９の袖口２０の外側に配置されたマジックテープループ面２０ａを介して結合される。マジックテープフック面１８ａは右袖部１７の上端１８の内側に施され表面からは見えない。マジックテープフック面１８ａは右身頃１９の袖口２０の外側に施されたマジックテープループ面２０ａと対応し脱着できる。
【００２５】  また、左袖部２５の上端２６の内側に配置されたマジックテープフック面２６ａと、左身頃２２の袖口２４の外側に配置されたマジックテープループ面２４ａを介して結合される。マジックテープフック面２６ａは左袖部２５の上端２６の内側に施され表面からは見えない。マジックテープフック面２６ａは左身頃２２の袖口２４の外側に施されたマジックテープループ面２４ａと対応し脱着できる。
【００２６】  さらに、右身頃１９と左身頃２２の脱着の状態は右身頃の前端２１に配置されたボタン２１ａと、前記左身頃２２の前端２３に施されたボタンホール２３ａを介して結合される。ボタンホール２３ａは前記右身頃１９の前端２１に配置されたボタン２１ａと一対一に対応し脱着できる。
【００２７】  図６は本考案に係る衣服のマジックテープを使用した分割時の背面図である。図６において、マジックテープフック面２７ａは左身頃の後端２７に配置される。マジックテープループ面２８ａは右身頃の後端２８に配置される。そしてマジックテープフック面２７ａはマジックテープループ面２８ａと対応する。このような構成により右身頃の後端２８と左身頃の後端２７は、マジックテープフック面２７ａとマジックテープループ面２８ａを介して結合される。
【００２８】  図７は本考案に係る衣服のマジックテープを使用した結合時の正面図である。図７において、左右身頃前面の結合の状態である２９は、一般的な衣服と同じようにボタンとボタンホールによって結合される。結合時の袖部の状態３０にはマジックテープが隠れ、表面から結合部が見えない。それは見た目を従来の一般的な衣服に近づける事で、特別なデザイン性や違和感を感じさせないようにするためであり、それにより着用者の好みやスタイルに左右されず、また着用者の年齢層を狭めない効果もある。また、マジックテープを使用した結合時の袖部の状態３０は、左右身頃の袖部の上に、左右袖上端の結合部が被さる形で結合させる。このような構成により長袖の状態で袖に腕を通したときに、重なった結合部の隙間に指や腕が引っ掛からないようにする事ができる。
【００２９】  図８は本考案に係る衣服のマジックテープを使用した結合時の背面図である。図８において、左右身頃背面の結合時３１は表面からはマジックテープが見えない。その理由は前記と同じく、見た目を従来の一般的な衣服に極力近づける事で、特別なデザイン性や違和感を感じさせないようにするためであり、それにより着用者の好みやスタイルに左右されず、また着用者の年齢層を狭めない効果を奏する。
【実施例】  以上のように構成された本考案に係る衣服について、その機能を説明する。【００３０】  図９は本考案に係る衣服の組み合わせの一例を説明するための白色（ａ）と灰色（ｂ）の２着を示す図である。【００３１】  図１０は本考案に係る衣服の、組み合わせたコーディネートの一例を説明するための、前記、図９（ａ）、（ｂ）の２着の衣服を組み合わせた長袖においての実施例を示す図である。
図１０（ａ）は、図９（ａ）の右袖部のみを図９（ｂ）の右袖部と組み替えたものである。
図１０（ｂ）は、図９（ｂ）の右袖部のみを図９（ａ）の右袖部と組み替えたものである。
図１０（ｃ）は、図９（ａ）の右袖部と左袖部を図９（ｂ）の右袖部と左袖部と組み替えたものである。
図１０（ｄ）は、図９（ｂ）の右袖部と左袖部を図９（ａ）の右袖部と左袖部と組み替えたものである。
図１０（ｅ）は、図９（ｂ）の左袖部のみを図９（ａ）の左袖部と組み替えたものである。
図１０（ｆ）は、図９（ａ）の左袖部のみを図９（ｂ）の左袖部と組み替えたものである。
図１０（ｇ）は、図９（ｂ）の右身頃のみを図９（ａ）の右身頃と組み替えたものである。
図１０（ｈ）は、図９（ａ）の右身頃のみを図９（ｂ）の右身頃と組み替えたものである。
図１０（ｉ）は、図９（ｂ）の左身頃のみを図９（ａ）の左身頃と組み替えたものである。
図１０（ｊ）は、図９（ａ）の左身頃のみを図９（ｂ）の左身頃と組み替えたものである。
図１０（ｋ）は、図９（ｂ）の左身頃と右袖部を図９（ａ）の左身頃と右袖部と組み替えたものである。
図１０（ｌ）は、図９（ａ）の左身頃と右袖部を図９（ｂ）の左身頃と右袖部と組み替えたものである。
図１０（ｍ）は、図９（ｂ）の左身頃と左袖部を図９（ａ）の左身頃と左袖部と組み替えたものである。
図１０（ｎ）は、図９（ａ）の左身頃と左袖部を図９（ｂ）の左身頃と左袖部と組み替えたものである。【００３２】  このように、図９（ａ）、（ｂ）を加えて、長袖を用いた衣服の組み合わせは１６通りある。この組み合わせを実現するのに、左右袖部と、左右身頃との組み合わせはボタンを用いても、スナップボタンを用いても、マジックテープを用いても良い。スナップボタンにした場合はボタンよりも脱着が容易である。マジックテープにした場合は子供や高齢者にも容易に脱着ができる。【００３３】  図１１は本考案に係る衣服の、組み合わせたコーディネートの一例を説明するための、前記、図９（ａ）、（ｂ）の２着の衣服を組み合わせた半袖においての実施例を示す図である。
図１１（ａ）は、図９（ａ）の右袖部と左袖部を取り外したものである。
図１１（ｂ）は、図９（ｂ）の右袖部と左袖部を取り外したものである。
図１１（ｃ）は、図９（ａ）の右袖部と左袖部を取り外し、かつ右身頃を図９（ｂ）の右身頃と組み替えたものである。
図１１（ｄ）は、図９（ｂ）の右袖部と左袖部を取り外し、かつ右身頃を図９（ａ）の右身頃と組み替えたものである。【００３４】  このように、半袖の組み合わせは４通りあり、上記長袖を用いた衣服の組み合わせを加えると２０通りの組み合わせができる。この組み合わせを実現するのに、左右長袖部と左右身頃との組み合わせはボタンを用いても、スナップボタンを用いても、マジックテープを用いても良い。スナップボタンにした場合はボタンよりも脱着が容易である。マジックテープにした場合は子供や高齢者にも容易に脱着ができる。【００３５】  上記のように、本考案に係る衣服はファッションとしての日常的な衣服を目的としているため、着用者が左右の身頃と左右の袖部を自在に組み替えて、幾とおりもの素材や配色の組み合わせを楽しむことができる。一例としてその数は、前述の通り２着所有の場合は半袖と長袖をあわせて２０通りの組み合わせのバリエーションが可能である。３着所有の場合は半袖と長袖を合わせて９０通りの組み合わせのバリエーションが可能であり、４着所有の場合は半袖と長袖を合わせて２７２通りの組み合わせのバリエーションが可能であり、５着所有の場合は半袖と長袖を合わせて６５０通りの組み合わせのバリエーションが可能である。このように、複数の身頃や袖部を所有することで組み合わせのバリエーションは指数関数的に増加する。また、左右袖部と左右身頃をそれぞれ結合するのにボタン、スナップボタン、マジックテープのいずれを用いても良い。【００３６】  図３において、結合時の袖部の状態１４は、左右身頃の袖部の上に、左右袖部の上端が結合し、被さる形になっている。このような構成により長袖の状態で袖に腕を通したときに、重なった結合部の隙間に指や腕が引っ掛からなくなる。さらにカジュアルな着こなしとして定番である、長袖の上から半袖を重ねるコーディネートのように見えてしまうことを避ける効果もある。これによりカジュアルの着こなしにもフォーマルの着こなしにも、スタイルを選ばず柔軟に対応できる。【００３７】  図１、図２において、右身頃前端部のボタン５と左身頃前端部のボタンホール７と結合させ、右身頃後端部のボタン１２と左身頃後端部のボタンホール１１を結合させると、半袖のシャツになる。この段階でも左右の素材違いや柄違いの身頃を組み合わせることで着用者の好みのデザインの半袖の衣服に仕上げることができる。【００３８】  上記半袖の衣服に、右袖部１を右身頃の袖部４に結合し、また左袖部１０を左身頃の袖部８に結合することで、着用者の好みで各パーツの素材違いや柄違いによって個性的なデザインの長袖の衣服にも、ベーシックなデザインの長袖の衣服にも自在に仕上げることができる。さらに寒い日にも対応することができ、一年を通じて気候に柔軟に対応する快適な着用ができる。【００３９】  図４、図８において、また、仕事着などでジャケットのインナーとして着用する際、一般的な衣類は暑い日にも前面のボタンを開けて着用するのは好まれない着方とされているが、本考案に係る衣服の場合、背面のボタン１５、または背面のマジックテープ３１を開けたまま上からジャケットを着用することで背面から通気が行え、前面のボタンを留めながら、相手に不快な印象を与えず涼を取ることができる。【００４０】  図４において、後身頃の後端のボタン１５を開け、後襟元のボタン１６のみを留めた状態で上からジャケットやコート等を着用した際、それらジャケットやコート、セーター等を脱がずとも、着用者の手の届く後襟元のボタン１６と左右身頃の前面端のボタンを外すだけで、ジャケットやコート、セーター等の袖口から本考案に係る衣服の袖を両袖から左右に引き抜くことができ、ジャケットやコート、セーター等の袖口から半身ごとに脱ぎ外す事が可能になる。混雑時の車内や飛行機の中など、上着の脱着がためらわれる狭いスペース内での状況において、ジャケットやコート、セーター等を脱がずともインナーの簡易な脱着ができる。【００４１】  図１において、右袖１、右身頃３、左身頃６、左袖１０、とそれぞれが脱着が可能になる事によって、衣類の一部を汚損してしまった場合でも、その汚損したパーツのみを取り替える事により、他のパーツは継続して使用する事ができ無駄がない。また袖部を汚損した場合は外出時でもその場ですぐに取り外しが可能なため、水洗いや、つけおき洗いなどの処置を迅速に行うことができる。【００４２】  図１において、右袖１、右身頃３、左身頃６、左袖１０、とそれぞれが脱着が可能になる事によって、丸く立体的に仕上げられた肩部分や、腕の曲がり具合に合わせて型どられた袖部分、または生地を二重にし、かつ首に沿うように型どられた襟部分などの、従来アイロン台を使用しても綺麗に仕上げるには難しいとされるアイロンがけが、一般的な衣服に比べて簡単に行う事ができる。【００４３】  図１において、右袖１、右身頃３、左身頃６、左袖１０、とそれぞれが脱着が可能になる事によって、各パーツを折りたたんだ際にかさばらず、これまでの衣類より小さく折り畳むことが可能になり、収納場所を選ばない。【００４４】  長袖と半袖を自在に脱着可能な事により、気候の変動にも対応するため、朝晩の気温差の激しいレジャーの地や旅行先、出張時にも便利である。【００４５】  長袖と半袖を自在に脱着可能な事により、気候の変動にも対応するため、衣替えの必要がなくなり、手間が省ける。【００４６】  図４、図８において、従来は前面のボタンのみをあけてインナーのシャツなどを見せるレイヤーでの着こなしが、後身頃も開く構造１５、３１により、ファッションのコーディネートとしてレイヤーでの着こなしの幅と自由度が大きく広がる。【００４７】  図１、図５において、半袖時には袖口にボタン４ａ、８ａ、またはマジックテープループ面２０ａ、２４ａが表面に見えるが、それらはそのままでファッションのアクセントとしても楽しめる。または半袖は一度折り曲げる事で袖口のボタン４ａ、８ａ、またはマジックテープループ面２０ａ、２４ａを隠す事ができる。これらは着用者の好みによって使い分けることが可能である。裏面のボタン留めの糸の処理またはマジックテープループ面の縫い付けの処理は折り曲げた際に表面からは見えず、自然である。【００４８】  図１、図２において、左右身頃の袖４、８と左右袖２、１０、後身頃の後端１１、１２の脱着に、ボタンとボタンホールを使用する事により、マジックテープを使用した際に出る厚みが解消される。ただし別の衣服と組み替えられるように、縫製時にボタンとボタンホールの位置を１着ずつ全て厳密に合わせる必要がある。【００４９】  図５、図６において、左右身頃の袖２０、２４と左右袖１８、２６、後身頃の後端２７、２８の脱着に、マジックテープを使用する事により、ボタンに比べ子供や高齢者にも脱着が非常に簡易になる。また縫製時にボタンとボタンホールの位置を１着ずつ全て厳密に合わせる必要がなくなるため、縫製工場の技量を問わず、大量生産時に適している。
【産業上の利用可能性】
【００５０】  本考案に係る衣服は右袖部と左袖部と右身頃と左身頃とを備え、各部の素材や配色をコーディネートして一年を通じて気候に柔軟に対応する快適な着用が可能になり、有用である。
【符号の説明】
【００５１】１  右袖部
２  右袖部の上端
２ａ  右袖部の上端のボタンホール
３  右身頃
４  右身頃の袖
４ａ  右身頃の袖のボタン
５  右身頃の前端
５ａ  右身頃の前端のボタン
６  左身頃
７  左身頃の前端
７ａ  左身頃の前端のボタンホール
８  左身頃の袖
８ａ  左身頃の袖のボタン
９  左袖部
１０  左袖部の上端
１０ａ  左袖部の上端のボタンホール
１１  左身頃の後端
１１ａ  左身頃の後端のボタンホール
１２  右身頃の後端
１２ａ  右身頃の後端のボタン
１３  結合時の前面身頃の状態
１４  結合時の袖部の状態
１５  結合時の背面身頃の状態
１６  結合時の背面襟元の状態
１７  右袖部
１８  右袖部の上端
１８ａ  右袖部の上端のマジックテープフック面
１９  右身頃
２０  右身頃の袖
２０ａ  右身頃の袖のマジックテープループ面
２１  右身頃の前端
２１ａ  右身頃の前端のボタン
２２  左身頃
２３  左身頃の前端
２３ａ  左身頃の前端のボタンホール
２４  左身頃の袖
２４ａ  左身頃の袖のマジックテープループ面
２５  左袖部
２６  左袖部の上端
２６ａ  左袖部の上端のマジックテープフック面
２７  左身頃の後端
２７ａ  左身頃の後端のマジックテープフック面
２８  右身頃の後端
２８ａ  右身頃の後端のマジックテープループ面
２９  結合時の前面身頃の状態
３０  マジックテープを使用した結合時の袖部の状態
３１  マジックテープを使用した結合時の背面身頃の状態
【図１】
0003220062.tif 000003
【図２】
0003220062.tif 000004
【図３】
0003220062.tif 000005
【図４】
0003220062.tif 000006
【図５】
0003220062.tif 000007
【図６】
0003220062.tif 000008
【図７】
0003220062.tif 000009
【図８】
0003220062.tif 000010
【図９】
0003220062.tif 000011
【図１０】
0003220062.tif 000012
【図１１】
0003220062.tif 000013
【手続補正書】
【提出日】平成30年11月20日(2018.11.20)
【手続補正１】
【補正対象書類名】実用新案登録請求の範囲
【補正対象項目名】請求項４
【補正方法】変更
【補正の内容】
【請求項４】
前記右袖部と前記右身頃の袖口とは、面ファスナーを介して結合し、前記左袖部と前記左身頃の袖口とは、面ファスナーを介して結合し、前記右身頃の後端部と前記左身頃の後端部が、面ファスナーを介して結合することを特徴とする請求項１又は請求項２のうちいずれかひとつに記載の衣服。
【手続補正２】
【補正対象書類名】明細書
【補正対象項目名】０００９
【補正方法】変更
【補正の内容】
【０００９】  本考案に係る第４の衣服において、前記右袖部の上端部と前記右身頃の袖口とは、面ファスナーを介して結合し、前記左袖部の上端部と前記左身頃の袖口とは、面ファスナーを介して結合し、前記右身頃の後端部と前記左身頃の後端部が、面ファスナーを介して結合することを特徴とすることで前述の手段を可能にしている。
【手続補正３】
【補正対象書類名】明細書
【補正対象項目名】００１５
【補正方法】変更
【補正の内容】
【００１５】  本考案に係る衣服は各パーツの結合部分が内側にあるため、右袖部と右身頃の結合部分、左袖部と左身頃の結合部分、右身頃後端と左身頃後端の結合部分は、表面からボタンやマジックテープ（登録商標）が見えないようになっており、結合された形状は、分割された物の結合した形状とは見えず、一般的な衣服に近い形状となり外観も自然で違和感がない。よって着用者の好みや性別、年齢層を問わず幅広く対応できる。